(57)【要約】【課題】ＬＥＤなどの表示手段に頼ることなく、洗浄水の水勢変更を認識しやすくできる衛生洗浄装置を提供する。【解決手段】吐水口から洗浄水を噴射して使用者の局部を洗浄する洗浄ノズルと、吐水口から噴射した洗浄水が局部に着水する複数段階の流量の切り替え及び洗浄水が局部に着水しない状態への切り替えを行う給水切替手段と、給水切替手段から吐水口まで水を導く流路と、給水切替手段を制御する制御手段と、吐水口から噴射される洗浄水を加熱する瞬間式の熱交換手段と、を備え、制御手段は、吐水口から噴射される洗浄水の流量を変更させる全ての指示に基づいて、給水切替手段により洗浄水が局部に着水しない状態に制御し、所定の時間経過後、給水切替手段により、指示された流量の洗浄水が局部に着水するように制御する。【選択図】  図７
2015074944.tif 000002
【特許請求の範囲】
【請求項１】
吐水口から洗浄水を噴射して使用者の局部を洗浄する洗浄ノズルと、
前記吐水口から噴射した洗浄水が局部に着水する複数段階の流量の切り替え及び洗浄水が局部に着水しない状態への切り替えを行う給水切替手段と、
前記給水切替手段から前記吐水口まで水を導く流路と、
前記給水切替手段を制御する制御手段と、
前記吐水口から噴射される洗浄水を加熱する瞬間式の熱交換手段と、を備え、
前記制御手段は、前記吐水口から噴射される洗浄水の流量を変更させる全ての指示に基づいて、前記給水切替手段により洗浄水が局部に着水しない状態に制御し、所定の時間経過後、前記給水切替手段により、指示された流量の洗浄水が局部に着水するように制御することを特徴とする衛生洗浄装置。
【請求項２】
前記制御手段は、前記吐水口から噴射される洗浄水の流量を変更させる指示を受けると、前記給水切替手段に前記洗浄ノズルへの給水を停止させる制御を行い、所定の時間経過後、前記給水切替手段を制御して前記洗浄ノズルへの給水を開始することを特徴とする請求項１に記載の衛生洗浄装置。
【請求項３】
前記給水切替手段は、前記洗浄ノズルを洗浄する洗浄室へ給水するための洗浄室給水切替手段を備え、
前記制御部は、前記吐水口から洗浄水を噴射中にその洗浄水の流量を変更させる全ての指示に基づいて、洗浄水が局部に着水しないよう、前記洗浄室給水切替手段により、洗浄水を前記洗浄室へ給水するように制御することを特徴とする請求項１又は２に記載の衛生洗浄装置。
【請求項４】
前記洗浄室給水切替手段は、前記吐水口から噴射された洗浄水の流量を変更することなく前記洗浄室へ給水することを特徴とする請求項３に記載の衛生洗浄装置。
【請求項５】
前記制御手段は、前記給水切替手段により洗浄水が局部に着水しないよう制御している際に、前記吐水口から噴射される洗浄水の流量を変更させる指示を新たに受けると、制御中の指示を中断し、新たに受けた変更指示に基づいて前記給水切替手段により再び局部に着水されるように制御することを特徴とする請求項１乃至４何れか１項に記載の衛生洗浄装置。
【発明の詳細な説明】
【技術分野】
【０００１】
本発明は、衛生洗浄装置に関するものである。
【背景技術】
【０００２】
住宅用の衛生洗浄装置および非住宅用（パブリック用）の衛生洗浄装置には、省エネルギー化、消費電力の低減および節水が求められている。
【０００３】
パブリック現場においては、１系統の電気配線または１つのブレーカに対して複数の衛生洗浄装置が設置されていることが少なくない。そのため、複数の衛生洗浄装置が同時に使用されても消費電力量が電気配線やブレーカの許容電力量よりも高くならないように、パブリック現場には、単位時間あたりの消費電力量（消費電力）が瞬間式の熱交換器の消費電力よりも低い貯湯式の熱交換器を備えた衛生洗浄装置が使用されることが多い。
【先行技術文献】
【特許文献】
【０００４】
【特許文献１】特開２０１１−０４７１７２号公報
【発明の概要】
【発明が解決しようとする課題】
【０００５】
しかし、貯湯式の熱交換器の待機時の放熱量は、瞬間式の熱交換器の待機時の放熱量よりも多い。そのため、貯湯式の熱交換器を備える衛生洗浄装置の全体の消費電力量は、瞬間式の熱交換器を備える衛生洗浄装置の消費電力量よりも高い。省エネルギー化あるいは消費電力の低減という観点においては、改善の余地がある。
【０００６】
省エネルギー化あるいは消費電力の低減のために、パブリック用の衛生洗浄装置が瞬間式の熱交換器を備える場合を考える。従来の瞬間式の熱交換器を備えた衛生洗浄装置をパブリック現場に複数設置する場合には、複数の衛生洗浄装置が同時に使用されたとしても、消費電力量の合計が電気配線またはブレーカの許容電力を超えないように、それぞれの衛生洗浄装置の定格電力（最大消費電力）を小さく設定する必要がある。瞬間式の衛生洗浄装置において、定格電力を小さくすると単位時間当たりの消費可能電力が小さくなるため、吐水される洗浄水を所定の温度にするためには洗浄水の低流量化が必須となる。温水洗浄便座の使用環境は、給水圧力の低い現場もあり、給水圧力が低い現場でも洗浄水は、少なくとも局部に着水する必要がある。そのため、洗浄水の流量の変更を行う際の下限流量は、給水圧力が低い現場でも洗浄水が、局部に着水することが条件となる。従来は、洗浄水を豊富に使用できたため、洗浄水の流量の変更を行なう際の下限流量と上限流量の差が大きく、流量変更を行なう際も、十分な流量の差があったため、流量の変化を感じることが出来たが、低流量化を行うと、洗浄水の流量の変更を行なう際の下限流量と上限流量の差が小さくなるため流量変更を行う際に、流量を変化できる幅が小さくなってしまう。その結果、衛生洗浄装置の流量変化の違いが感じにくくなり、流量変更、即ち水勢変更が認識できないという課題がある。
【０００７】
一方、水勢変更時にＬＥＤなどの表示手段を用いて使用者に衛生洗浄装置の水勢変更を認識させる技術は既に知られている（特開２０１１−０４７１７２号公報）。しかし、ＬＥＤなどの表示手段を別途設けると、それだけコストが掛かってしまう。
【０００８】
本発明は、上記のような事情に鑑みてなされたものであって、ＬＥＤなどの表示手段に頼ることなく、洗浄水の水勢変更を認識しやすくできる衛生洗浄装置を提供することを目的とする。
【課題を解決するための手段】
【０００９】
本発明に係る衛生洗浄装置は、吐水口から洗浄水を噴射して使用者の局部を洗浄する洗浄ノズルと、前記吐水口から噴射した洗浄水が局部に着水する複数段階の流量の切り替え及び洗浄水が局部に着水しない状態への切り替えを行う給水切替手段と、前記給水切替手段から前記吐水口まで水を導く流路と、前記給水切替手段を制御する制御手段と、前記吐水口から噴射される洗浄水を加熱する瞬間式の熱交換手段と、を備え、前記制御手段は、前記吐水口から噴射される洗浄水の流量を変更させる全ての指示に基づいて、前記給水切替手段により洗浄水が局部に着水しない状態に制御し、所定の時間経過後、前記給水切替手段により、指示された流量の洗浄水が局部に着水するように制御することを特徴とする。
このような構成により、流量の変更指示に基づいて、必ず局部への着水が途切れるように制御されるため、使用者は流量変更を認識しやすい。また、全ての流量の変更指示においてこの制御を行うため、使用者は、違和感無く流量変更を認識できる。ここで、全ての指示とは、操作スイッチの長押し等の特殊な操作を必要とせず、通常の操作にて操作可能な流量変更を指す。
【００１０】
また、本発明に係る衛生洗浄装置においては、好ましくは、前記制御手段は、前記吐水口から噴射される洗浄水の流量を変更させる指示を受けると、前記給水切替手段に前記洗浄ノズルへの給水を停止させる制御を行い、所定の時間経過後、前記給水切替手段を制御して前記洗浄ノズルへの給水を開始する。
このような構成により、流量変更時に必ず洗浄ノズルからの洗浄水の給水が停止されるため、使用者は流量変更を認識しやすい。
【００１１】
また、本発明に係る衛生洗浄装置においては、好ましくは、前記給水切替手段は、前記洗浄ノズルを洗浄する洗浄室へ給水するための洗浄室給水切替手段を備え、前記制御部は、前記吐水口から洗浄水を噴射中にその洗浄水の流量を変更させる全ての指示に基づいて、洗浄水が局部に着水しないよう、前記洗浄室給水切替手段により、洗浄水を前記洗浄室へ給水するように制御する。
このような構成により、流量変更時に、洗浄ノズルを洗浄する洗浄室へ洗浄水を給水するように制御するため、局部に着水しない洗浄水もノズル洗浄に有効利用することができる。
【００１２】
また、本発明に係る衛生洗浄装置においては、好ましくは、前記洗浄室給水切替手段は、前記吐水口から噴射された洗浄水の流量を変更することなく前記洗浄室へ給水する。
このような構成により、流量変更時に洗浄ノズルからの洗浄水が一旦停止したとしても、熱交換器を流れる洗浄水の流量は変わらないため、洗浄水の温度ハンチングがなく熱交換手段を制御でき、使用者に洗浄水の温度ムラによる違和感を感じさせない。
【００１３】
また、本発明に係る衛生洗浄装置においては、好ましくは、前記制御手段は、前記給水切替手段により洗浄水が局部に着水しないよう制御している際に、前記吐水口から噴射される洗浄水の流量を変更させる指示を新たに受けると、制御中の指示を中断し、新たに受けた変更指示に基づいて前記給水切替手段により再び局部に着水されるように制御する。
このような構成により、前の指示をスキップできるため、水勢弱→中→強といった連続した変更を行ったとしても弱洗浄の局部着水停止後、中洗浄が一瞬着水し一定停止時間を経て強洗浄となるといった使用者の待ち時間の長さや、操作応答遅れのストレスを低減できる。
【発明の効果】
【００１４】
本発明の衛生洗浄装置によれば、ＬＥＤなどの表示手段に頼ることなく、洗浄水の水勢変更を認識しやすくできる。
【図面の簡単な説明】
【００１５】
【図１】本発明の一実施形態に係る衛生洗浄装置を備えたトイレ装置を示す概略斜視図。
【図２】本発明の一実施形態に係る衛生洗浄装置の要部構成例を示す図。
【図３】本発明の一実施形態に係る衛生洗浄装置の操作部を示す図。
【図４】本発明の一実施形態に係る流量切替弁及び流路切替弁を構成するステータ及びロータを示す斜視図。
【図５】本発明の一実施形態に係るステータの一例を示す図。
【図６】本発明の一実施形態に係るロータの一例を示す図。
【図７】本発明の一実施形態に係る制御部の制御ロジックを実行した具体例に係るタイムチャート。
【図８】本発明の一実施形態に係る制御部の制御ロジックを実行したスキップ動作の具体例に係るタイムチャート。
【発明を実施するための形態】
【００１６】
次に、添付図面を参照して、本発明の一実施形態を説明する。
【００１７】
［衛生洗浄装置の概要］
図１は、本発明の一実施形態に係る衛生洗浄装置を備えたトイレ装置を示す概略斜視図である。図２は、本発明の一実施形態に係る衛生洗浄装置の要部構成例を示す図である。  なお、図２では、水路系と電気系の要部構成を併せて表している。図３は、本発明の一実施形態に係る衛生洗浄装置の操作部を示す図である。
【００１８】
図１に示すトイレ装置１は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１９】
ケーシング４００の内部には、便座２００に座った使用者の局部などの洗浄を実現する身体洗浄機能部などが内蔵されている。また、例えばケーシング４００には、使用者の人体を検知する人体検知センサ４０３及び使用者が便座２００に座ったことを検知する着座検知センサ４０４が設けられている。着座検知センサ４０４が便座２００に座った使用者を検知している場合において、使用者が操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００２０】
ノズル４７３の先端部には、複数の吐水孔４７４ａ、４７４ｂ、４７４ｃ（以下、いずれか一つ又は二つ以上を指す場合、単に「吐水孔４７４」と称する）が設けられている。  ノズル４７３は、吐水孔４７４から水を噴射して、便座２００に座った使用者の局部などを洗浄することができる。
【００２１】
より具体的に説明すると、本実施形態にかかる衛生洗浄装置１００は、図２に示すように、水道や貯水タンクなどの給水源１０から供給された洗浄水をノズル４７３の吐水孔４７４に供給すべく導く流路２０を有する。流路２０には、電磁弁４３１が設けられている。電磁弁４３１は、開閉可能な電磁バルブであり、ケーシング４００の内部に設けられた制御部４０５からの指令に基づいて水の供給を制御する。
【００２２】
電磁弁４３１の下流には、洗浄水を所定の温度まで昇温させる熱交換器ユニット４４０が設けられている。この熱交換器ユニット４４０は、供給される電力に応じて加熱量が変化し、電磁弁４３１を通過した洗浄水を加熱して所定温度の温水にするヒータ（不図示）、例えばシーズヒータやセラミックヒータ等を有する。この熱交換器ユニット４４０は、いわば電磁弁４３１を通過した冷水である洗浄水を加熱する瞬間式加熱手段である。
【００２３】
熱交換器ユニット４４０の下流には、殺菌水を生成可能な電解槽ユニット（電解槽）４５０が設けられている。ノズル４７３や、電解槽ユニット４５０よりも下流側の流路２０は、電解槽ユニット４５０において生成された殺菌水により殺菌される。
【００２４】
電解槽ユニット４５０の下流には、水勢（流量）の調整を行う流量切替弁４７１と、ノズル４７３やノズル洗浄室（洗浄室）４７８への給水の開閉や切替を行う流路切替弁（洗浄室給水切替手段）４７２と、が設けられている。なお、流量切替弁４７１および流路切替弁４７２は、１つのユニットとして設けられていてもよい。続いて、流量切替弁４７１および流路切替弁４７２の下流には、ノズル４７３が設けられている。本発明の一実施形態においては、流量切替弁４７１及び流路切替弁４７２をまとめて給水切替手段４７０とする。
【００２５】
なお、流路切替弁４７２の下流において流路２０は、第一吐水流路２１、第二吐水流路２２及び第三吐水流路２３に分岐している。第一吐水流路２１、第二吐水流路２２及び第三吐水流路２３は、それぞれ第一吐水孔４７４ａ、第二吐水孔４７４ｂ、第三吐水孔４７４ｃに通じている。流量切替弁４７１及び流路切替弁４７２は、制御部４０５からの指令に基づいて各吐水孔４７４ａ、４７４ｂ、４７４ｃへの洗浄水の供給を制御する。制御内容の詳細については後述する。
【００２６】
ノズル４７３は、前述したように、水を噴射して便座２００に座った使用者の局部を洗浄できる。このノズル４７３の先端部には、第一吐水孔４７４ａ、第二吐水孔４７４ｂ及び第三吐水孔４７４ｃが設けられている。本実施形態では、第一吐水孔４７４ａは女性の局部洗浄を行うビデ洗浄用の吐水孔として、第二吐水孔４７４ｂ及び第三吐水孔４７４ｃは、それぞれ人体局部への着水範囲、あるいは流速の異なる洗浄水を噴出する肛門洗浄用の吐水孔として説明を行う。なお、吐水孔の個数は２つでもよいし、４つ以上でも良い。また、各々の吐水孔の用途は上記の場合に限らない。
【００２７】
また、ノズル４７３は、ノズルモータ４７６からの駆動力を受け、便器８００のボウル８０１内に進出したり後退したりすることができる。つまり、ノズルモータ４７６は、制御部４０５からの指令に基づいてノズル４７３を進退させることができる。
【００２８】
なお、電解槽ユニット４５０において生成された殺菌水を流路切替弁４７２から便器８００のボウル８０１の表面に吐水する殺菌水吐水ノズルが、ノズル４７３とは別体として設けられていてもよい。この場合には、図示しない殺菌水吐水ノズルは、電解槽ユニット４５０よりも下流側の流路２０に設けられる。衛生洗浄装置１００は、一般的には、便器８００の上に設置され利用される。そのため、ボウル８０１の表面に殺菌水を吐水する殺菌水吐水ノズルが設けられている場合には、衛生洗浄装置１００は、便器８００のボウル８０１の表面に存在する菌を殺菌する装置としても有効に利用され得る。
【００２９】
流路切替弁４７２は、ノズル４７３を洗浄する際に一時的に蓄えられるノズル洗浄室４７８へ洗浄水を供給する洗浄室給水切替手段の役割も備えている。また、各吐水流路へ流れる洗浄水と、ノズル洗浄室４７８へ流れる洗浄水の総和は、常に一定になるように制御されている。このような構成することによって、どの吐水流路を用いたとしても、流路切替弁４７の上流にある熱交換器ユニット４４０を流れる洗浄水の流量は変わらないため、吐水される洗浄水の温度ムラが発生することがない。ノズル洗浄室４７８に蓄えられた洗浄水は胴体洗浄用孔（図示せず）から吐水され、ノズル４７３の胴体洗浄を行う際に使用される。
【００３０】
制御部４０５は、電源回路４０１から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部５００などからの信号に基づいて、電磁弁４３１、熱交換器ユニット４４０、電解槽ユニット４５０、流量切替弁４７１、流路切替弁４７２及びノズルモータ４７６の動作を制御することができる。特に、流路切替弁４７２の動作を制御することによって、各吐水孔４７４ａ、４７４ｂ、４７４ｃへの洗浄水の供給を制御する。
【００３１】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００３２】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００３３】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００３４】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開くことができる。また、着座検知センサ４０４および人体検知センサ４０３は、ケーシング４００の前方の中央部に設けられている。但し、着座検知センサ４０４、人体検知センサ４０３、および入室検知センサ４０２の設置形態は、これだけに限定されるわけではなく、適宜変更することができる。
【００３５】
また、ケーシング４００には、便座２００に座った使用者の局部などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００３６】
また、図３に示すように、操作部５００には、ノズル４７４から吐水される洗浄水の吐水状態を変更させる第一吐水状態変更ボタン３１、第二吐水状態変更ボタン３２、第三吐水状態変更ボタン３３と、ノズル４７４から吐水される洗浄水の流量、即ち水勢を変更させる水勢弱方向変更ボタン４１、水勢強方向変更ボタン４２を備えている。第一吐水状態変更ボタン３１、第二吐水状態変更ボタン３２、第三吐水状態変更ボタン３３をまとめて吐水状態変更ボタン３０と呼ぶ。また、水勢弱方向変更ボタン４１、水勢強方向変更ボタン４２をまとめて水勢入力・変更ボタン４０と呼ぶ。第一吐水状態変更ボタン３１が操作されると、ノズル４７３の先端部にある第一吐水孔４７４ａから洗浄水が吐水され、第二吐水状態変更ボタン３２が操作されると、第二吐水孔４７４ｂから洗浄水が吐水され、第三吐水状態変更ボタン３３が操作されると、第三吐水孔４７４ｃから洗浄水が吐水される。水勢弱方向変更ボタン４１が操作されると、ノズル４７４から吐水される洗浄水の流量が少なくなり、水勢強方向変更ボタン４２が操作されると、ノズル４７４から吐水される洗浄水の流量が多くなる。操作部５００はその他にも各種ボタンを備えており、「温風乾燥機能」や「脱臭ユニット」や「室内暖房ユニット」などの各種の機構が適宜設けられている場合は、それらのボタンを操作することで、制御部４０５に信号を送信し、これら付加機能部を動作させることができる。
【００３７】
［流量切替弁及び流路切替弁の構成］
図４は、本発明の一実施形態に係る流量切替弁及び流路切替弁を構成するステータ及びロータを示す斜視図である。
【００３８】
図４に示すステータ６００及びロータ７００は、図２の流量切替弁４７１及び流路切替弁４７２の弁機能を果たす構成部品である。なお、図４では、流量切替弁４７１及び流路切替弁４７２の構成部品のうち、ステータ６００及びロータ７００以外の構成部品については図示を省略している。
【００３９】
このようなステータ６００及びロータ７００は流路２０上に設けられ、特にステータ６００よりも下流側では、流路２０は第一吐水流路２１、第二吐水流路２２、第三吐水流路２３及びノズル洗浄室４７８に分岐している。以下、スタータ６００、ロータ７００の順に詳細に説明する。
【００４０】
［ステータについて］
図５は、本発明の一実施形態に係るステータの一例を示す図である。図５（ａ）では、ステータ６００の表面を示している。図５（ｂ）では、ステータ６００の裏面を示している。
【００４１】
図４に示すように、ステータ６００は所定の厚みを有する円盤状の部材である。このステータ６００には、図４及び図５に示すように、四つの貫通孔６０１、６０２、６０３、６０４が、水流方向と垂直面に形成されている。
【００４２】
貫通孔６０１は、第一吐水流路２１に通じる貫通孔であり、この貫通孔６０１の表面側には円周方向に階段形状の窪み部６１１が形成されている。窪み部６１１は、第一窪み部６１１ａ、第二窪み部６１１ｂ、第三窪み部６１１ｃによって階段状に構成されている。窪み部６１１において、第一窪み部６１１ａより第二窪み部６１１ｂの方が、第二窪み部６１１ｂより第三窪み部６１１ｃの方が、深く窪んでいる。以下の説明においては、貫通孔６０１を第一吐水流路用孔６０１ともいう。
【００４３】
貫通孔６０２は、第二吐水流路２２に通じる貫通孔であり、この貫通孔６０２の表面側には円周方向に階段形状の窪み部６１２が形成されている。窪み部６１２は、第一窪み部６１２ａ、第二窪み部６１２ｂ、第三窪み部６１２ｃによって階段状に構成されている。窪み部６１２において、第一窪み部６１２ａより第二窪み部６１２ｂの方が、第二窪み部６１２ｂより第三窪み部６１２ｃの方が、深く窪んでいる。以下の説明においては、貫通孔６０２を第二吐水流路用孔６０２ともいう。
【００４４】
貫通孔６０３は、第三吐水流路２３に通じる貫通孔である。貫通孔６０３ａの表面側には、円周方向に階段形状の窪み部６１３が形成されている。窪み部６１３は、第一窪み部６１３ａ、第二窪み部６１３ｂ、第三窪み部６１３ｃによって階段状に構成されている。窪み部６１３において、第一窪み部６１３ａより第二窪み部６１３ｂの方が、第二窪み部６１３ｂより第三窪み部６１３ｃの方が、深く窪んでいる。以下の説明においては、貫通孔６０３を第三吐水流路用孔６０３ともいう。
【００４５】
貫通孔６０４は、人体局部洗浄を行うノズルを外部より洗浄するノズル洗浄室４７８に通じる貫通孔であり、略円柱状に形成されている。この貫通孔６０４は、貫通孔６０１、６０２ａ、６０３と同じ径位置に形成されている。以下の説明においては、貫通孔６０４をバイパス流路用孔６０４ともいう。
【００４６】
バイパス流路用貫通孔用溝６０７は、貫通孔６０４に通じる溝である。バイパス流路用貫通孔用溝６０７へ流れた水は、貫通孔６０４へ流れ、ノズル洗浄室４７８に送られる。
【００４７】
以上に示すように、ステータ６００には、第一吐水流路用孔６０１、第二吐水流路用孔６０２、第三吐水流路用孔６０３、バイパス流路用孔６０４及びバイパス流路用貫通孔用溝６０７が形成されている。続いてロータ７００について説明する。
【００４８】
［ロータについて］
図６は、本発明の一実施形態に係るロータの一例を示す図である。図６では、ロータ７００の表面を示している。なお、ロータ７００の裏面については表面と同様であるとして図示を省略している。
【００４９】
図４に示すように、ロータ７００は所定の厚みを有し、ステータ６００と同径の円盤状の部材である。このロータ７００には、図４及び図６に示すように、切欠部７０４及びバイパス孔７０５が、水流方向と垂直面に形成されている。
【００５０】
このロータ７００はステータ６００と重ね合わされ、回転軸Ｘを中心としてステータ６００上を回転する。具体的には、制御部４０５（図２参照）からの指令に基づいて動作する駆動モータ（不図示）に駆動されて回転する。
【００５１】
切欠部７０４は、ロータ７００の周縁上に形成された切欠である。この切欠部７０４は、ロータ７００を回転させた場合に窪み部６１１、６１２、６１３又はバイパス流路用孔６０４と連通可能である。
【００５２】
バイパス孔７０５は、ステータ６００のバイパス流路用貫通孔用溝６０７に相当する径位置に形成された略四角柱状の貫通孔である。このバイパス孔７０５は、ロータ７００を回転させた場合に、切欠部７０４が貫通孔６０１と貫通孔６０３との間の位置に相当する径位置に移動したとき、バイパス流路用貫通孔用溝６０７（図５参照）に相当する径位置に移動される。
【００５３】
以上に示すように、ロータ７００には、切欠部７０４及びバイパス孔７０５が形成されている。
【００５４】
これらステータ６００とロータ７００に形成された各孔等の面積は、各吐水流路２１、２２、２３の必要流量によって設定されており、等分されている訳ではない。さらに各吐水流路２１、２２、２３への変更は、ロータ７００の切欠部７０４を回転させ、ステータ６００の各流路用孔６０１〜６０３及び各窪み部６１１〜６１３とで構成される流路断面積を変化させることにより行われる。
【００５５】
特に本実施形態においては、窪み部６１１は第一窪み部６１２ａ、第二窪み部６１２ｂ、第三窪み部６１２ｃの３段の階段状に構成されているので、本実施形態に係る流量調整は３段階で設定可能である。窪み部６１２、６１３についても同様に３段階で設定可能である。なお、各窪み部６１１、６１２、６１３の構成は階段状に限定されるものではなく、なだらかに流路断面積が変化するスロープ状となっても良い。これにより、調節可能な吐水量が３段階に限定されるものではない。
【００５６】
［水勢変更動作］
図４、図５を用いて、本発明の一実施形態に係る水勢変更動作について説明する。なお、本発明の一実施形態における「水勢」は、噴出される洗浄水の流量によって決定され、噴出される洗浄水の流量が多いほど水勢は強い。
【００５７】
第一吐水流路用孔６０１を用いて吐水動作を行っている場合、ロータ７００の切欠部７０４は、ステータ６００の窪み部６１１に重ね合うように位置している。操作部５００の水勢入力・変更ボタン４０の入力によって３段階に設定されている水勢のうち、水勢弱モードの場合、切欠部７０４は第一窪み部６１１ａと重ね合うように位置し、水勢中モードの場合、切欠部７０４は第二窪み部６１１ｂと重ね合うように位置し、水勢強モードの場合、切欠部７０４は第三窪み部６１１ｃと重ね合うように位置する。このときに、制御部４０５から水勢の変更指示がされると、切欠部７０４は、ステータ６００の貫通孔６０１と貫通孔６０３との間の位置に移動する。このとき、バイパス孔７０５はバイパス流路用貫通孔用溝６０７に相当する径位置に移動される。切欠部７０４がステータ６００の貫通孔６０１と貫通孔６０３との間の位置に移動してから所定時間経過後、切欠部７０４は、再び窪み部６１３の、変更された水勢モードに相当する位置に移動する。
【００５８】
第二吐水流路用孔６０２を用いて吐水動作を行っている場合、ロータ７００の切欠部７０４は、ステータ６００の窪み部６１２に重ね合うように位置している。３段階で設定されている水勢のうち、水勢弱モードの場合、切欠部７０４は第一窪み部６１２ａと重ね合うように位置し、水勢中モードの場合、切欠部７０４は第二窪み部６１２ｂと重ね合うように位置し、水勢強モードの場合、切欠部７０４は第三窪み部６１２ｃと重ね合うように位置する。制御部４０５から水勢の変更指示がされると、切欠部７０４は、ステータ６００のバイパス流路用貫通孔６０４と重ね合う位置に移動し、所定時間経過後、切欠部７０４は、再び窪み部６１２の、変更された水勢モードに相当する位置に移動する。
【００５９】
第三吐水流路用孔６０３を用いて吐水動作を行っている場合、ロータ７００の切欠部７０４は、ステータ６００の窪み部６１３に重ね合うように位置している。３段階で設定されている水勢のうち、水勢弱モードの場合、切欠部７０４は第一窪み部６１３ａと重ね合うように位置し、水勢中モードの場合、切欠部７０４は第二窪み部６１３ｂと重ね合うように位置し、水勢強モードの場合、切欠部７０４は第三窪み部６１３ｃと重ね合うように位置する。この場合も同様に、制御部４０５から水勢の変更指示がされると、切欠部７０４は、ステータ６００のバイパス流路用貫通孔６０４と重ね合う位置に移動し、所定時間経過後、切欠部７０４は、再び窪み部６１３の、変更された水勢モードに相当する位置に移動する。
【００６０】
このように、水勢変更がされる際には、所定時間、切欠部７０４を窪み部６１１、６１２、６１３外へ移動させる構成となっており、洗浄水が第一吐水流路２１、第二吐水流路２２、第三吐水流路２３へ流れないようになっている。詳細な制御動作については、図７、８を用いて説明する。
【００６１】
［制御部の制御ロジック］
図７は、本発明の一実施形態に係る制御部の制御ロジックを実行した具体例に係るタイムチャートである。図７のタイムチャートは、第一吐水孔４７４ａから洗浄水が吐水される際のタイムチャートであり、横軸に時間を、縦軸に洗浄状態を示している。
【００６２】
時刻Ｔ０において、衛生洗浄装置１００は、制御部４０５が着座検知センサからの着座検知信号を受信し温水準備制御を開始した後、洗浄待機している状態である。このとき、電磁弁４３１は閉弁している状態である。
【００６３】
時刻Ｔ１において、衛生洗浄装置１００は、操作部５００の吐水状態変更ボタン３０のうち第一吐水状態変更ボタン３１が押され、且つ水勢入力・変更ボタン４０のうち水勢強方向変更ボタン４２が押され、水勢が強モードに決定された状態である。このとき、制御部４０５は電磁弁４３１に通電し、電磁弁４３１は開弁する。
【００６４】
水勢が強モードに決定された後、時刻Ｔ１から時刻Ｔ２にかけて前洗浄モードに移行し、時刻Ｔ２から時刻Ｔ３にかけて前洗浄される。前洗浄とは、ノズル流路へ洗浄水を流し、ノズル流路内に残った洗浄水を胴体洗浄用孔（図示せず）から外部へ排出する動作である。このとき、ロータ７００の切欠部７０４は、ステータ６００の貫通孔６０１と貫通孔６０３との間に位置しており、ロータ７００のバイパス孔７０５は、バイパス流路用貫通孔用溝６０７に相当する位置に位置している。よって、ロータ７００及びステータ６００へ流れてきた洗浄水は、バイパス孔７０５を通り、バイパス流路用貫通孔用溝６０７を経由し、バイパス流路用貫通孔６０４に流入する。そして、バイパス流路用貫通孔６０４へ流入した洗浄水は、ノズル洗浄室４７８を通り、胴体洗浄用孔（図示せず）から外部へ排出される。
【００６５】
次に、時刻Ｔ３から時刻Ｔ４にかけてノズル４７３の胴体洗浄モードに移行し、時刻Ｔ４から時刻Ｔ５にかけてノズル４７３の胴体洗浄が行われる。このときに噴出される洗浄水は、胴体洗浄用孔（図示せず）から吐水され、着座している使用者の局部に着水しないよう制御されている。このとき、ロータ７００の切欠部７０４は、ステータ６００の貫通孔６０１と貫通孔６０３との間に位置しており、ロータ７００のバイパス孔７０５は、バイパス流路用貫通孔用溝６０７に相当する位置に位置している。よって、ロータ７００及びステータ６００へ流れてきた洗浄水は、バイパス孔７０５を通り、バイパス流路用貫通孔用溝６０７を経由し、バイパス流路用貫通孔６０４に流入する。そして、バイパス流路用貫通孔６０４へ流入した洗浄水は、ノズル洗浄室４７８を通り、胴体洗浄用孔（図示せず）から外部へ排出され、排出された洗浄水によって、ノズル４７３の胴体洗浄が行われる。
【００６６】
その後、時刻Ｔ５から時刻Ｔ６にかけて水勢強モードに移行し、時刻Ｔ６から時刻Ｔ７にかけてノズル４７３から水勢強モードの洗浄水が噴出される。具体的には、ロータ７００の切欠部７０４が、ステータ６００の第三窪み部６１１ｃと重ね合う位置に移動し、貫通孔６０１を通った洗浄水が、第一吐水流路２１へ流入し、第一吐水孔４７４ａから吐水される。このときに噴出される洗浄水は、着座している使用者の局部に着水するよう制御されている。
【００６７】
時刻Ｔ７において、衛生洗浄装置１００は、操作部５００の水勢入力・変更ボタン４０のうち水勢弱方向変更ボタン４１が押され、水勢が中モードに変更された状態である。
【００６８】
水勢が中モードに変更された後、時刻Ｔ７から時刻Ｔ８にかけてノズル４７３の胴体洗浄モードに移行し、時刻Ｔ８から時刻Ｔ９にかけてノズル４７３の胴体洗浄が行われる。このときに噴出される洗浄水は、着座している使用者の局部に着水しないよう制御されている。このとき、ロータ７００の切欠部７０４は、ステータ６００の貫通孔６０１と貫通孔６０３との間に位置しており、ロータ７００のバイパス孔７０５は、バイパス流路用貫通孔用溝６０７に相当する位置に位置している。よって、ロータ７００及びステータ６００へ流れてきた洗浄水は、バイパス孔７０５を通り、バイパス流路用貫通孔用溝６０７を経由し、バイパス流路用貫通孔６０４に流入する。そして、バイパス流路用貫通孔６０４へ流入した洗浄水は、ノズル洗浄室４７８を通り、胴体洗浄用孔（図示せず）から外部へ排出され、排出された洗浄水によって、ノズル４７３の胴体洗浄が行われる。
【００６９】
その後、時刻Ｔ９から時刻Ｔ１０にかけて水勢中モードに移行し、時刻Ｔ１０から時刻Ｔ１１にかけてノズル４７３から水勢中モードの洗浄水が噴出される。具体的には、ロータ７００の切欠部７０４が、ステータ６００の第二窪み部６１１ｂと重ね合う位置に移動し、貫通孔６０１を通った水が、第一吐水流路２１へ流入し、第一吐水孔４７４ａから吐水される。このときに噴出される洗浄水は、着座している使用者の局部に着水するよう制御されている。
【００７０】
以上より、噴出される洗浄水の水勢が強モードから中モードに変更されたとき、衛生洗浄装置１００は、水勢強モードから洗浄水が局部に着水しないノズル４７３の胴体洗浄モードに移行し、所定の時間経過後、胴体洗浄モードから水勢中モードに移行し、再び洗浄水が局部に着水するよう制御される。
【００７１】
時刻Ｔ１１において、衛生洗浄装置１００は、操作部５００の水勢入力・変更ボタン４０のうち水勢弱方向変更ボタン４１が押され、水勢が弱モードに変更された状態である。
【００７２】
水勢が弱モードに変更された後、時刻Ｔ１１から時刻Ｔ１２にかけてノズル４７３の胴体洗浄モードに移行し、時刻Ｔ１２から時刻Ｔ１３にかけてノズル４７３の胴体洗浄が行われる。このときに噴出される洗浄水は、着座している使用者の局部に着水しないよう制御されている。このとき、ロータ７００の切欠部７０４は、ステータ６００の貫通孔６０１と貫通孔６０３との間に位置しており、ロータ７００のバイパス孔７０５は、バイパス流路用貫通孔用溝６０７に相当する位置に位置している。よって、ロータ７００及びステータ６００へ流れてきた水は、バイパス孔７０５を通り、バイパス流路用貫通孔用溝６０７を経由し、バイパス流路用貫通孔６０４に流入する。そして、バイパス流路用貫通孔６０４へ流入した洗浄水は、ノズル洗浄室４７８を通り、胴体洗浄用孔（図示せず）から外部へ排出され、排出された洗浄水によって、ノズル４７３の胴体洗浄が行われる。
【００７３】
その後、時刻Ｔ１３から時刻Ｔ１４にかけて水勢弱モードに移行し、時刻Ｔ１４から時刻Ｔ１５にかけてノズル４７３から水勢弱モードの洗浄水が噴出される。具体的には、ロータ７００の切欠部７０４が、ステータ６００の第一窪み部６１１ａと重ね合う位置に移動し、貫通孔６０１を通った水が、第一吐水流路２１へ流入し、第一吐水孔４７４ａから吐水される。このときに噴出される洗浄水は、着座している使用者の局部に着水するよう制御されている。
【００７４】
以上より、噴出される洗浄水の水勢が中モードから弱モードに変更されたとき、衛生洗浄装置１００は、水勢中モードから洗浄水が使用者の局部に着水しないノズル４７３の胴体洗浄モードに移行し、所定の時間経過後、胴体洗浄モードから水勢弱モードに移行し、再び洗浄水が使用者の局部に着水するよう制御される。
【００７５】
本発明の一実施形態において、水勢強モードから水勢中モードへ、水勢中モードから水勢弱モードへ変更される場合において説明したが、それに限らず、水勢弱モードから水勢中モードへ、水勢中モードから水勢強モードへ変更される場合においても、同様の制御がなされる。
【００７６】
また、本発明の一実施形態において、水勢のモードが変更されたときに、一旦局部に洗浄水が着水しないノズル４７３の胴体洗浄モードに移行したが、それに限らず、使用者の局部に洗浄水が着水しない制御なら、本発明の範囲に含まれる。例えば、胴体洗浄モードではなく、洗浄水を噴出しない止水モードに移行してもよい。
【００７７】
制御部４０５は、給水切替手段４７０を局部に洗浄水が着水しないよう制御している際に、別の水勢変更の指示を受けると、新たに受けた水勢変更の指示に基づいて制御を行う構成としてある。
【００７８】
図８は、本発明の一実施形態に係る制御部の制御ロジックを実行したスキップ動作の具体例に係るタイムチャートである。図８のタイムチャートは、第一吐水孔４７４ａから洗浄水が吐水される際のタイムチャートであり、横軸に時間を、縦軸に洗浄状態を示している。このタイムチャートにおいて、時刻ｔ０から時刻ｔ７間に行われている水勢の強モードへの切り替え過程については、図７のタイムチャートを用いて説明した時刻Ｔ０から時刻Ｔ７の間において行われている水勢の強モードへの切り替え過程と同じであるため、説明は省略する。
【００７９】
時刻ｔ７において、衛生洗浄装置１００は、操作部５００の水勢入力・変更ボタン４０のうち水勢弱方向変更ボタン４１が押され、水勢が中モードに変更された状態である。
【００８０】
水勢が中モードに変更された後、時刻ｔ７から時刻ｔ８にかけてノズル４７３の胴体洗浄モードに移行し、時刻ｔ８から時刻ｔ１０にかけてノズル４７３の胴体洗浄が行われるが、胴体洗浄が行われている際に、操作部５００の水勢入力・変更ボタン４０のうち水勢弱方向変更ボタン４１が押され、水勢が弱モードに設定されたとする（時刻ｔ９）。
【００８１】
水勢が弱モードに変更された後、時刻ｔ１０からｔ１１にかけて水勢中モードではなく水勢弱モードに移行し、時刻ｔ１１からノズル４７３から水勢弱モードの洗浄水が噴出される。具体的には、ロータ７００の切欠部７０４が、ステータ６００の第一窪み部６１１ａと重ね合う位置に移動し、貫通孔６０１を通った洗浄水が、第一吐水流路２１へ流入し、第一吐水孔４７４ａから吐水される。このときに噴出される洗浄水は、着座している使用者の局部に着水するよう制御されている。
【００８２】
このように、制御部４０５は、給水切替手段４７０を局部に洗浄水が着水しないよう制御している際に、別の水勢変更の指示を受けると、新たに受けた水勢変更の指示に基づいて制御を行う。このような構成にすることによって、新たな水勢変更の指示を受けると前の指示をスキップできる。このスキップ動作によって、待ち時間の短縮になる。
【００８３】
本発明の一実施形態において、第一吐水孔４７４ａから洗浄水が吐水される際のタイムチャートを用いて説明したが、第二吐水孔４７４ｂ、第三吐水孔４７４ｃから水が吐水される際も、同様の制御が行われる。この際、胴体洗浄が行なわれるときは、ロータ７００の切欠部７０４が、ステータ６００のバイパス流路用貫通孔６０４と重なり合う位置に移動することで行われる。
【００８４】
以上に示すように、本発明の衛生洗浄装置によれば、ＬＥＤなどの表示手段に頼ることなく、洗浄水の水勢変更を認識しやすくできる。
【００８５】
以上、本発明の実施形態について説明したが、上記実施形態は本発明の適用例の一つを示したものであり、本発明の技術的範囲を上記実施形態の具体的構成に限定する趣旨ではない。本発明の要旨を逸脱しない範囲において種々変更可能である。
【符号の説明】
【００８６】
１  トイレ装置
１０  給水源
２０  流路
２１  第一吐水流路
２２  第二吐水流路
２３  第三吐水流路
２０ａ  第一吐水流路
２０ｂ  第二吐水流路
２０ｃ  第三吐水流路
３０  吐水状態変更ボタン
３１  第一吐水状態変更ボタン
３２  第二吐水状態変更ボタン
３３  第三吐水状態変更ボタン
４０  水勢入力・変更ボタン
４１  水勢弱方向変更ボタン
４２  水勢強方向変更ボタン
１００  衛生洗浄装置
２００  便座
３００  便蓋
３１０  透過窓
４００  ケーシング
４０１  電源回路
４０２  入室検知センサ
４０３  人体検知センサ
４０４  着座検知センサ
４０５  制御部（制御手段）
４０７  排気口
４０８  排出口
４０９  凸設部
４３１  電磁弁
４４０  熱交換器ユニット
４５０  電解槽ユニット
４７０  給水切替手段
４７１  流量切替弁
４７２  流路切替弁（洗浄室給水切替手段）
４７３  ノズル（洗浄ノズル）
４７４  吐水孔
４７４ａ  第一吐水孔
４７４ｂ  第二吐水孔
４７４ｃ  第三吐水孔
４７６  ノズルモータ
４７８  ノズル洗浄室（洗浄室）
５００  操作部
６００  ステータ
６０１  第一流路用孔
６０２  第二流路用孔
６０３  第三流路用孔
６０４  バイパス流路用貫通孔
６０７  バイパス流路用貫通孔用溝
６１１、６１２、６１３  窪み部
６１１ａ、６１２ａ、６１３ａ  第一窪み部
６１１ｂ、６１２ｂ、６１３ｂ  第二窪み部
６１１ｃ、６１２ｃ、６１３ｃ  第三窪み部
７００  ロータ
７０４  切欠部
７０５  バイパス孔
８００  便器
８０１  ボウル
【図１】
2015074944.tif 000003
【図２】
2015074944.tif 000004
【図３】
2015074944.tif 000005
【図４】
2015074944.tif 000006
【図５】
2015074944.tif 000007
【図６】
2015074944.tif 000008
【図７】
2015074944.tif 000009
【図８】
2015074944.tif 000010